(57)【要約】      （修正有）【課題】不断流工事を行う際には、不断流の状態で仕切弁及び開閉弁を取り付けることができ、長期間留置する際には、仕切弁及び開閉弁を取り外しておくことができる管ユニットを提供すること。【解決手段】仕切弁手段１２は、仕切弁を挿入可能な主挿入部を有する基部フランジ１５を有し、基部フランジ１５には、仕切弁を収容した仕切弁箱部が着脱可能に取り付けられる仕切弁取付部１７と、主挿入部１６を開閉する開閉弁を挿入可能な副挿入部１９と、開閉弁を収容した開閉弁箱部３６が着脱可能に取り付けられる開閉弁取付部２０と、が設けられており、主挿入部１６及び副挿入部１９の両領域に対して流体の流入を阻止する第１位置と、副挿入部１９に対する開閉弁の挿入を許容する第２位置と、の間で切換可能な閉塞部材３０が主挿入部に挿入される。【選択図】図２
2013249862.tif 000002
【特許請求の範囲】
【請求項１】
流体が流れる管路部と、前記管路部に該管路部を仕切る仕切弁を着脱可能に取り付けるための仕切弁手段と、を備える不断流状態での施工に適した管ユニットであって、
前記仕切弁手段は、前記仕切弁を挿入可能な主挿入部を有する基部フランジを有し、該基部フランジには、前記仕切弁を収容した仕切弁箱部が着脱可能に取り付けられる仕切弁取付部と、前記主挿入部を開閉する開閉弁を挿入可能な副挿入部と、前記開閉弁を収容した開閉弁箱部が着脱可能に取り付けられる開閉弁取付部と、が設けられており、
前記主挿入部及び前記副挿入部の両領域に対して前記流体の流入を阻止する第１位置と、前記副挿入部に対する前記開閉弁の挿入を許容する第２位置と、の間で切換可能な閉塞部材が前記主挿入部に挿入されることを特徴とする管ユニット。
【請求項２】
前記閉塞部材は、前記主挿入部における前記管路部との開口を塞ぐ形状をしていることを特徴とする請求項１に記載の管ユニット。
【請求項３】
前記閉塞部材が第２位置にあるときに、前記副挿入部に対して前記流体の流入を許容しつつ、前記主挿入部から外部への前記流体の流出を阻止することを特徴とする請求項１または２に記載の管ユニット。
【請求項４】
前記管路部の周面には、分岐部が設けられることを特徴とする請求項１ないし３のいずれかに記載の管ユニット。
【請求項５】
前記管路部の両端部に設けられて上流側及び下流側の各流体管に接続される接続部を備え、該上流側及び下流側の接続部は、いずれもが挿口部、若しくはいずれもが受口部として構成されることを特徴とする請求項４に記載の管ユニット。
【請求項６】
流体が流れる管路部と、前記管路部に該管路部を仕切る仕切弁を着脱可能に取り付けるための仕切弁手段と、を備える不断流状態での施工に適した管ユニットに対する仕切弁の設置方法であって、
前記仕切弁手段は、前記仕切弁を挿入可能な主挿入部を有する基部フランジを有し、該基部フランジには、前記仕切弁を収容した仕切弁箱部が着脱可能に取り付けられる仕切弁取付部と、前記主挿入部を開閉する開閉弁を挿入可能な副挿入部と、前記開閉弁を収容した開閉弁箱部が着脱可能に取り付けられる開閉弁取付部と、前記主挿入部及び前記副挿入部の両領域に対して前記流体の流入を阻止する閉塞部材と、が設けられており、
前記開閉弁箱部を前記開閉弁取付部に取り付ける開閉弁取付工程と、
前記閉塞部材を前記副挿入部に対する前記開閉弁の挿入を許容する位置まで移動させる閉塞部材移動工程と、
前記開閉弁を前記副挿入部に挿入して前記主挿入部を閉塞する開閉弁閉塞工程と、
前記閉塞部材を取り外して前記仕切弁箱部を前記仕切弁取付部に取り付ける仕切弁取付工程と、
を含むことを特徴とする管ユニットに対する仕切弁の設置方法。
【発明の詳細な説明】
【技術分野】
【０００１】
本発明は、流体が流れる管路部と、前記管路部に該管路部を仕切る仕切弁を着脱可能に取り付けるための仕切弁手段と、を備える不断流状態での施工に適した管ユニット及び管ユニットに対する仕切弁の設置方法に関する。
【背景技術】
【０００２】
従来、地中に埋設された水道本管中の流水を止めることなく、不断水の状態で水路の変更をしようとする場合に使用される水路変更用分岐管継手がある。このような分岐管継手では、水道本管の水路を変更しようとする箇所に、２つ割りに構成された止水弁（仕切弁）を嵌挿するための弁筐を有する止水管と、２つ割りに構成された分岐管路継手を有する分岐継手管と、を設置するようにしている。（例えば、特許文献１参照）。尚、近年では、水道本管を設置する際に、止水管と分岐継手管とが一体的に形成された管ユニットも製造されている。
【０００３】
また、本管部から上方に分岐するようにして突出する分岐管部を設け、この分岐管部を開閉する開閉弁と、分岐管部の上端に接合される弁蓋内に収容される仕切弁体（仕切弁）と、を備える仕切弁装置がある。このような装置では、作業完了後に仕切弁体を撤去して所定の保管場所に保管することで、仕切弁体の経時的劣化を防止するようにしている（例えば、特許文献２参照）。
【先行技術文献】
【特許文献】
【０００４】
【特許文献１】実公昭６０−３４３０号公報（第１頁、第１図）
【特許文献２】特開２００１−２７３４９号公報（第２頁、第２図）
【発明の概要】
【発明が解決しようとする課題】
【０００５】
しかしながら、特許文献１に記載の水路変更用分岐管継手にあっては、作業完了後も止水管の止水弁（仕切弁）や分岐継手管に接続される分岐用制水弁（仕切弁）が、そのまま留置されるようになっており、長期間留置されると止水弁や分岐用制水弁に腐食が生じてしまい、再び使用する場合に作動しなくなるという問題がある。
【０００６】
また、特許文献２に記載の仕切弁装置にあっても、作業完了後に仕切弁体（仕切弁）を撤去することはできるが、分岐管部を開閉する開閉弁が、そのまま留置されるようになっており、長期間留置されると開閉弁に腐食が生じてしまい、再び使用する場合に作動しなくなるという問題がある。
【０００７】
本発明は、このような問題点に着目してなされたもので、不断流工事を行う際には、不断流の状態で仕切弁及び開閉弁を取り付けることができ、長期間留置する際には、仕切弁及び開閉弁を取り外しておくことができる管ユニット及び管ユニットに対する仕切弁の設置方法を提供することを目的とする。
【課題を解決するための手段】
【０００８】
前記課題を解決するために、本発明の管ユニットは、
流体が流れる管路部と、前記管路部に該管路部を仕切る仕切弁を着脱可能に取り付けるための仕切弁手段と、を備える不断流状態での施工に適した管ユニットであって、
前記仕切弁手段は、前記仕切弁を挿入可能な主挿入部を有する基部フランジを有し、該基部フランジには、前記仕切弁を収容した仕切弁箱部が着脱可能に取り付けられる仕切弁取付部と、前記主挿入部を開閉する開閉弁を挿入可能な副挿入部と、前記開閉弁を収容した開閉弁箱部が着脱可能に取り付けられる開閉弁取付部と、が設けられており、
前記主挿入部及び前記副挿入部の両領域に対して前記流体の流入を阻止する第１位置と、前記副挿入部に対する前記開閉弁の挿入を許容する第２位置と、の間で切換可能な閉塞部材が前記主挿入部に挿入されることを特徴としている。
この特徴によれば、不断流工事を行う際には、開閉弁を収容した開閉弁箱部を基部フランジの開閉弁取付部に取り付けた状態にして、主挿入部及び副挿入部の両領域に対して流体の流入を阻止する第１位置にある閉塞部材を、副挿入部に対する開閉弁の挿入を許容する第２位置に切り換えることで、副挿入部に開閉弁を挿入して主挿入部を閉塞し、閉塞部材を取り外すとともに、仕切弁を収容した仕切弁箱部を仕切弁取付部に取り付けることで、不断流の状態で仕切弁を取り付けることができる。また、長期間留置する際には、仕切弁及び開閉弁の双方の弁体を仕切弁手段によって取り外しておくことができる。
【０００９】
本発明の管ユニットは、
前記閉塞部材は、前記主挿入部における前記管路部との開口を塞ぐ形状をしていることを特徴としている。
この特徴によれば、主挿入部及び副挿入部の両領域に対して流体の流入を阻止し、かつ閉塞部材及び主挿入部の存在が管路部を流れる流体の流れを乱す虞がなくなる。
【００１０】
本発明の管ユニットは、
前記閉塞部材が第２位置にあるときに、前記副挿入部に対して前記流体の流入を許容しつつ、前記主挿入部から外部への前記流体の流出を阻止することを特徴としている。
この特徴によれば、閉塞部材が第２位置にあるときでも、主挿入部から外部への流体の流出が阻止され、不断流工事を行うことができる。
【００１１】
本発明の管ユニットは、
前記管路部の周面には、分岐部が設けられることを特徴としている。
この特徴によれば、分岐部に迂回用の分岐管を取り付けて流体の迂回経路を確保し、仕切弁により管路部を閉塞して不断流工事を行うことができる。
【００１２】
本発明の管ユニットは、
前記管路部の両端部に設けられて上流側及び下流側の各流体管に接続される接続部を備え、該上流側及び下流側の接続部は、いずれもが挿口部、若しくはいずれもが受口部として構成されることを特徴としている。
この特徴によれば、分岐部に迂回用の分岐管を取り付けて流体の迂回経路を確保するための管ユニットとして敷設する際に、管ユニットの向きを変更するだけで、上流側及び下流側のいずれの管ユニットとしても対応させることができる。
【００１３】
本発明の管ユニットに対する仕切弁の設置方法は、
流体が流れる管路部と、前記管路部に該管路部を仕切る仕切弁を着脱可能に取り付けるための仕切弁手段と、を備える不断流状態での施工に適した管ユニットに対する仕切弁の設置方法であって、
前記仕切弁手段は、前記仕切弁を挿入可能な主挿入部を有する基部フランジを有し、該基部フランジには、前記仕切弁を収容した仕切弁箱部が着脱可能に取り付けられる仕切弁取付部と、前記主挿入部を開閉する開閉弁を挿入可能な副挿入部と、前記開閉弁を収容した開閉弁箱部が着脱可能に取り付けられる開閉弁取付部と、前記主挿入部及び前記副挿入部の両領域に対して前記流体の流入を阻止する閉塞部材と、が設けられており、
前記開閉弁箱部を前記開閉弁取付部に取り付ける開閉弁取付工程と、
前記閉塞部材を前記副挿入部に対する前記開閉弁の挿入を許容する位置まで移動させる閉塞部材移動工程と、
前記開閉弁を前記副挿入部に挿入して前記主挿入部を閉塞する開閉弁閉塞工程と、
前記閉塞部材を取り外して前記仕切弁箱部を前記仕切弁取付部に取り付ける仕切弁取付工程と、
を含むことを特徴としている。
この特徴によれば、不断流工事を行う際には、開閉弁を収容した開閉弁箱部を基部フランジの開閉弁取付部に取り付けた状態にして、主挿入部及び副挿入部の両領域に対して流体の流入を阻止する閉塞部材を、副挿入部に対する開閉弁の挿入を許容する位置に移動することで、副挿入部に開閉弁を挿入して主挿入部を閉塞し、閉塞部材を取り外すとともに、仕切弁を収容した仕切弁箱部を仕切弁取付部に取り付けることで、不断流の状態で仕切弁を取り付けることができる。また、長期間留置する際には、仕切弁及び開閉弁の双方の弁体を仕切弁手段によって取り外しておくことができる。
【図面の簡単な説明】
【００１４】
【図１】実施例１における敷設状態の管ユニットを示す側断面図である。
【図２】開閉弁箱部が取り付けられた状態の管ユニットを示す側断面図である。
【図３】開閉弁箱部が取り付けられた状態の管ユニットを示す平面図である。
【図４】仕切弁箱部が取り付けられた状態の管ユニットを示す側断面図である。
【図５】仕切弁を挿入した状態の管ユニットを示す側断面図である。
【図６】図２における仕切弁取付装置を示す拡大側断面図である。
【図７】実施例２における副挿入部を示す側断面図である。
【図８】実施例３における副挿入部を示す側断面図である。
【図９】実施例４における管ユニットを示す側断面図である。
【発明を実施するための形態】
【００１５】
本発明に係る管ユニット及び管ユニットに対する仕切弁の設置方法を実施するための形態を実施例に基づいて以下に説明する。
【実施例１】
【００１６】
実施例１に係る管ユニット及び管ユニットに対する仕切弁の設置方法につき、図１から図６を参照して説明する。本実施例の管ユニット１は、例えば、地中に埋設される上水道用のダクタイル鋳鉄製であり、管路部は断面視略円形状に形成され、内周面がモルタル層で被覆されている。尚、本発明に係る管ユニット１は、その他鋳鉄、鋼等の金属製、あるいは石綿、コンクリート製、塩化ビニール、ポリエチレン若しくはポリオレフィン製等であってもよい。更に尚、管ユニット１の内周面はモルタル層に限らず、例えばエポキシ樹脂等により被覆されてもよく、若しくは適宜の材料を粉体塗装により管ユニット１の内周面に被覆してもよい。また、本実施例では管ユニット１内の流体は、本実施例の上水に限らず、例えば工業用水や農業用水、下水等の他、ガスやガスと液体との気液混合体であっても構わない。尚、図１から図６において紙面右側を管ユニット１の上流側として説明する。
【００１７】
図１に示すように、本実施例の管ユニット１は、上流側及び下流側の端部のいずれもが挿口部２，３となっている。そして、それぞれの挿口部２，３が地中に略水平方向に埋設される流体管路を構成する流体管４，５の受口部６，７に接続される。尚、管ユニット１の両端部の挿口部２，３が本発明における接続部となっている。また、本実施例における管ユニット１は、流体が流れる管路部８を有し、管路部８の周面には、水平方向に分岐された分岐部９が設けられている。更に、管ユニット１が敷設された状態では、分岐部９の開口が蓋部材１０により閉塞されている。
【００１８】
尚、後述するように、本実施例の管ユニット１は、分岐部９に迂回用の分岐管１１を取り付けて流体の迂回経路を確保することで（図３参照）、迂回経路にて流体を流し続けるとともに、管ユニット１の下流側の流体管４にて工事を行えるようになっており、不断流状態での施工に適した管ユニット１となっている。
【００１９】
また、管路部８における分岐部９よりも若干下流側の部位には、本発明における仕切弁手段としての仕切弁取付装置１２が設けられている。尚、この仕切弁取付装置１２は、管路部８の上部側に設けられ、管路部８を仕切るための後述する仕切弁１３を収容した仕切弁箱部１４が着脱されるようになっている。更に、分岐部９の部位にも、仕切弁取付装置１２’が設けられている。尚、この仕切弁取付装置１２’は、分岐部９の上部側に設けられ、分岐部９を仕切るための後述する仕切弁１３を収容した仕切弁箱部１４が着脱されるようになっている。また、これら２つの仕切弁取付装置１２，１２’は、同様の構成となっているため、管路部８を仕切るため仕切弁取付装置１２を例にして以下に説明する。
【００２０】
図１に示すように、仕切弁取付装置１２は、管路部８の上面に一体的に形成された基部フランジ１５を有している。この基部フランジ１５には、後述する仕切弁１３を挿入可能な主挿入部１６が形成されている。尚、主挿入部１６は、基部フランジ１５の上面に設けられた仕切弁取付部１７に開口されており、この主挿入部１６は、管路部８の内部から仕切弁取付部１７まで垂直に延設されている。
【００２１】
また、基部フランジ１５の上下方向の略中央部には、主挿入部１６を開閉する後述する開閉弁１８を挿入可能な副挿入部１９が形成されている。この副挿入部１９は、主挿入部１６に直交するように延設されており、主挿入部１６の上下方向の略中央部が副挿入部１９により分断されている。尚、副挿入部１９は、基部フランジ１５の側面に設けられた開閉弁取付部２０に開口されている。更に、主挿入部１６及び副挿入部１９は、板状をなす弁体である仕切弁１３及び開閉弁１８を挿入可能なように横長のスリット状の孔部として形成されている。
【００２２】
尚、副挿入部１９には、その上下幅寸法を開閉弁１８の厚み寸法に合わせるためのスペーサ部材２１が設けられている。また、このスペーサ部材２１は、副挿入部１９の内面における上面側にボルト等の螺合部材２２を用いて取り付けられている。そして、副挿入部１９の内面における下面側とスペーサ部材２１の下面側には、後述する開閉弁１８による密封状態を維持するためのシール部材２３，２４が設けられている（図６参照）。
【００２３】
また、管ユニット１が長期間設置される敷設状態では、基部フランジ１５の上面の仕切弁取付部１７には、主挿入部１６を閉塞するための蓋部材２５がボルト等の螺合部材２６を用いて取り付けられるとともに、基部フランジ１５の側面の開閉弁取付部２０にも、副挿入部１９を閉塞するための蓋部材２７がボルト等の螺合部材２８を用いて取り付けられる。
【００２４】
更に、仕切弁取付部１７に取り付けられた蓋部材２５の中央部の貫通孔２９には、閉塞部材３０が支持されている。また、この閉塞部材３０の下端部には、主挿入部１６及び副挿入部１９の両領域に対して管路部８内を流れる流体の流入を阻止するための閉塞シール部３１が設けられている。尚、この閉塞シール部３１は、横長のスリット状の孔部である主挿入部１６における管路部８との開口を塞ぐ形状、すなわち横長の略棒状をなす部材となっている。
【００２５】
更に、閉塞部材３０の上端部は、側面視で略Ｔ字状をなすＴ字端部３２となっており、このＴ字端部３２は、蓋部材２５の上面側に突出されている。そして、このＴ字端部３２が蓋部材２５の上面にボルト等の螺合部材３３により固定されることで、閉塞シール部３１は、主挿入部１６における管路部８との開口を塞ぐ位置に固定的に配置される。
【００２６】
尚、閉塞シール部３１が主挿入部１６における管路部８との開口を塞ぐ位置に固定的に配置され、主挿入部１６及び副挿入部１９の両領域に対して管路部８の流体の流入を阻止する状態にある閉塞部材３０の位置を本発明における第１位置とする。
【００２７】
また、蓋部材２５には、この蓋部材２５と閉塞部材３０のＴ字端部３２との間を密封するシール部材３４が設けられるとともに、蓋部材２５と仕切弁取付部１７との間を密封するシール部材３５が設けられる（図６参照）。
【００２８】
図２及び図３に示すように、不断流状態で工事を行う場合に、開閉弁１８を収容した開閉弁箱部３６を取り付ける際には、先ず基部フランジ１５の開閉弁取付部２０に取り付けられた蓋部材２７を取り外す。そして、この開閉弁取付部２０に開閉弁箱部３６をボルト等の螺合部材３７を用いて取り付ける。この開閉弁箱部３６を開閉弁取付部２０に取り付ける工程が本発明における開閉弁取付工程を構成している。尚、開閉弁取付部２０と開閉弁箱部３６との間は、蓋部材２７の密封に用いたシール部材４５により密封されている（図６参照）。
【００２９】
次に、閉塞部材３０のＴ字端部３２を蓋部材２５に固定している螺合部材３３を取り外し、閉塞部材３０を副挿入部１９に対する開閉弁１８の挿入を許容する位置、つまり閉塞部材３０の閉塞シール部３１が副挿入部１９よりも上方位置になるまで引き上げる。この閉塞部材３０の閉塞シール部３１が副挿入部１９よりも上方位置になるまで引き上げる工程が本発明における閉塞部材移動工程を構成している。尚、副挿入部１９に対する開閉弁１８の挿入を許容する状態にある閉塞部材３０の位置を本発明における第２位置とする。
【００３０】
更に、この第２位置に閉塞部材３０があるときに、閉塞部材３０は、副挿入部１９に対して管路部８の流体の流入を許容しつつ、主挿入部１６から外部への流体の流出を阻止するようになっている。尚、この状態では、管路部８の流体が主挿入部１６、副挿入部１９、及び開閉弁箱部３６の内部に流入される。
【００３１】
次に、開閉弁１８を副挿入部１９に挿入して主挿入部１６を開閉弁１８により閉塞する。この開閉弁１８を副挿入部１９に挿入して主挿入部１６を開閉弁１８により閉塞する工程が本発明における開閉弁閉塞工程を構成している。尚、この状態では、開閉弁１８によって閉塞されることにより、主挿入部１６の上部領域には、流体の流入が阻止されるようになっている。また、この状態では、主挿入部１６における開閉弁１８よりも下方の領域、つまり主挿入部１６の下部領域まで管路部８の流体が流入される。
【００３２】
図４に示すように、基部フランジ１５の仕切弁取付部１７から蓋部材２５を取り外すとともに、主挿入部１６に挿入された閉塞部材３０を取り外す。更に、基部フランジ１５の仕切弁取付部１７に、仕切弁１３を収容した仕切弁箱部１４をボルト等の螺合部材３８を用いて取り付ける。この基部フランジ１５の仕切弁取付部１７に、仕切弁１３を収容した仕切弁箱部１４を取り付ける工程が本発明における仕切弁取付工程を構成している。そして、開閉弁１８を開閉弁箱部３６に収容して主挿入部１６を開放する。尚、仕切弁取付部１７と仕切弁箱部１４との間は、仕切弁箱部１４に設けられたシール部材３９により密封されている。
【００３３】
尚、分岐部９の仕切弁取付装置１２’に対しても、前述した管路部８の仕切弁取付装置１２と同様の工程で開閉弁箱部３６及び仕切弁箱部１４を取り付けるようにする。そして、不断流状態で流体管５を流れる流体の迂回経路を確保する際には、分岐部９に取り付けた仕切弁箱部１４の仕切弁１３を下ろして分岐部９を閉塞した状態にし、分岐部９の開口を閉塞している蓋部材１０を取り外し、この分岐部９に迂回用の分岐管１１を取り付けるようにする（図３参照）。
【００３４】
そして、図５に示すように、分岐部９の仕切弁１３を引き上げて分岐部９を開放し、迂回用の分岐管１１に流体を流すとともに、管路部８に取り付けた仕切弁箱部１４の仕切弁１３を下ろして管路部８を閉塞した状態にする。すると、不断流状態で管ユニット１の下流側の流体管４にて工事を行えるようになる。
【００３５】
また、不断流状態での工事が終了して管ユニット１が長期間設置される敷設状態に戻す際には、先ず管路部８の仕切弁１３を引き上げて仕切弁箱部１４に収容して管路部８を開放し、下流側の流体管４に流体が流れるようにした状態にする。次に、分岐部９の仕切弁１３を下ろして分岐部９を閉塞した状態にし、迂回用の分岐管１１を取り外す。そして、分岐部９の開口を蓋部材１０により閉塞し、分岐部９の仕切弁１３を引き上げて仕切弁箱部１４に収容する（図４参照）。
【００３６】
また、管路部８の仕切弁取付装置１２の開閉弁１８を用いて主挿入部１６を閉塞し、仕切弁箱部１４を基部フランジ１５の仕切弁取付部１７から取り外す。そして、基部フランジ１５の仕切弁取付部１７に蓋部材２５及び閉塞部材３０を取り付けるようにし、開閉弁１８を開閉弁箱部３６に収容して主挿入部１６を開放するとともに、閉塞部材３０によって主挿入部１６における管路部８との開口を塞ぐようにする（図２及び図３参照）。
【００３７】
次に、基部フランジ１５の開閉弁取付部２０から開閉弁箱部３６を取り外し、開閉弁取付部２０に蓋部材２７を取り付けるようにし、この蓋部材２７により副挿入部１９を閉塞する。尚、分岐部９の仕切弁取付装置１２’の仕切弁箱部１４及び開閉弁箱部３６も同様の工程により取り外すようにする（図１参照）。
【００３８】
以上のように、本実施例における管ユニット１では、不断流工事を行う際には、開閉弁１８を収容した開閉弁箱部３６を基部フランジ１５の開閉弁取付部２０に取り付けた状態にして、主挿入部１６及び副挿入部１９の両領域に対して流体の流入を阻止する第１位置にある閉塞部材３０を、副挿入部１９に対する開閉弁１８の挿入を許容する第２位置に切り換えることで、副挿入部１９に開閉弁１８を挿入して主挿入部１６を閉塞し、閉塞部材３０を取り外すとともに、仕切弁１３を収容した仕切弁箱部１４を仕切弁取付部１７に取り付けることで、不断流の状態で仕切弁１３を取り付けることができる。また、長期間留置する際には、仕切弁１３及び開閉弁１８の双方の弁体を仕切弁取付装置１２によって取り外しておくことができる。
【００３９】
また、閉塞部材３０は、主挿入部１６における管路部８との開口を塞ぐ形状をしていることで、主挿入部１６及び副挿入部１９の両領域に対して流体の流入を阻止し、かつ閉塞部材３０及び主挿入部１６の存在が管路部８を流れる流体の流れを乱す虞がなくなる。
【００４０】
また、閉塞部材３０が第２位置にあるときに、副挿入部１９に対して流体の流入を許容しつつ、主挿入部１６から外部への流体の流出を阻止することで、閉塞部材３０が第２位置にあるときでも、主挿入部１６から外部への流体の流出が阻止され、不断流工事を行うことができる。
【００４１】
また、管路部８の周面には、分岐部９が設けられることで、分岐部９に迂回用の分岐管１１を取り付けて流体の迂回経路を確保し、仕切弁１３により管路部８を閉塞して不断流工事を行うことができる。
【実施例２】
【００４２】
次に、実施例２に係る管ユニット及び管ユニットに対する仕切弁の設置方法につき、図７を参照して説明する。尚、前記実施例と同一構成で重複する説明を省略する。前記実施例１では、副挿入部１９の上下幅寸法を開閉弁１８の厚み寸法に合わせるためのスペーサ部材２１が設けられているが、このスペーサ部材２１を用いて開閉弁１８による主挿入部１６の密封性を向上させるようにしてもよい。具体的には、図７に示すように、実施例２におけるスペーサ部材２１では、副挿入部１９の内面における上面側にボルト等の螺合部材４０を用いて取り付けられており、この螺合部材４０を調整することで、スペーサ部材２１を上下方向に移動させることができる。
【００４３】
そして、開閉弁１８が副挿入部１９に挿入された状態で、螺合部材４０による調整によりスペーサ部材２１を開閉弁１８に向かって押し付けるようにすると、スペーサ部材２１の下面側に設けられたシール部材２４が開閉弁１８の上面側に押し付けられるようになるとともに、開閉弁１８の下面が副挿入部１９の内面における下面側に設けられたシール部材２３に押し付けられるようになり、これらのシール部材２３，２４による密封性が向上するようになる。
【００４４】
尚、前記実施例１及び実施例２では、副挿入部１９の内面における下面側とスペーサ部材２１の下面側に、シール部材２３，２４が設けられているが、副挿入部１９の内面における上面側にシール部材（図示略）を設けるようにしてもよい。このようにすれば、副挿入部１９の内面における上面側とスペーサ部材２１の上面側との間に間隙が生じても、シール部材（図示略）により主挿入部１６の閉塞性を維持できるようになる。
【実施例３】
【００４５】
次に、実施例３に係る管ユニット及び管ユニットに対する仕切弁の設置方法につき、図８を参照して説明する。尚、前記実施例と同一構成で重複する説明を省略する。図８に示すように、実施例３における副挿入部１９では、副挿入部１９の内面全体を覆うシール部材４１が設けられている。この実施例３におけるシール部材４１は、断面視で略コ字形状をなし、開閉弁１８が挿入可能なスリット孔４２が形成されている。そして、このスリット孔４２の内面における上面側と下面側には、主挿入部１６の配置位置を囲むように延設された凸条４３，４４が突設されている。この上下の凸条４３，４４同士が接触されることで、主挿入部１６の密封状態を向上させることができる。
【００４６】
また、開閉弁１８により主挿入部１６を閉塞する際には、シール部材４１のスリット孔４２に開閉弁１８を挿入する。このスリット孔４２に挿入された開閉弁１８は、上下の凸条４３，４４により挟み込まれて、主挿入部１６の密封状態を維持しつつ、主挿入部１６を閉塞できるようになっている。
【実施例４】
【００４７】
次に、実施例４に係る管ユニット及び管ユニットに対する仕切弁の設置方法につき、図９を参照して説明する。尚、前記実施例と同一構成で重複する説明を省略する。前記実施例１の管ユニット１では、管路部８の周面に水平方向に分岐された分岐部９が設けられているが、図９に示すように、実施例４における管ユニット１’では、管路部８の周面に垂直方向に分岐された分岐部９が設けられている。
【００４８】
前述した実施例１の管ユニット１と同様に、実施例４における管ユニット１’は、上流側及び下流側の端部のいずれもが挿口部２，３となっている。そして、それぞれの挿口部２，３が地中に略水平方向に埋設される流体管路を構成する流体管４，５の受口部６，７に接続される。この同一構成の２つの管ユニット１’を用いて、所定の流体管４，５の上流側及び下流側に分岐管１１を接続可能な分岐部９を設けるようにし、流体の迂回経路を確保することができる。
【００４９】
このように、上流側及び下流側の各流体管４，５に接続される管路部８の両端部のいずれもが挿口部２，３となっていることで、分岐部９に迂回用の分岐管１１を取り付けて流体の迂回経路を確保するための管ユニット１’として敷設する際に、管ユニット１’の向きを変更するだけで、上流側及び下流側のいずれの管ユニット１’としても対応させることができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例１及び４では、管ユニット１の上流側及び下流側の端部のいずれもが挿口部２，３となっているが、管ユニット１の上流側及び下流側の端部のいずれもが受口部若しくは切断により形成された切断端部（図示略）となっている構成であってもよい。尚、管ユニット１の上流側及び下流側の端部は、一方が挿口部で他方が受口部となっている構成であってもよいし、一方が切断端部で他方が挿口部若しくは受口部となっているような挿口部、受口部、切断端部を組み合わせた構成となってもよい。
【００５２】
また、前記実施例１及び４では、管路部８側の仕切弁取付装置１２の基部フランジ１５が管路部８の上面に設けられるとともに、分岐部９側の仕切弁取付装置１２’の基部フランジ１５が分岐部９の上面に設けられる構成となっているが、基部フランジ１５が設けられる位置は、管路部８及び分岐部９の上面に限らず、管路部８及び分岐部９の側面や下面であってもよいし、管路部８及び分岐部９は、本実施例の構成に限られず、共に同一の面に設けられてもよいし、例えば、いずれか一方が上面に設けられ、他方が側面に設けられる構成であってもよい。
【００５３】
また、前記実施例１及び４では、開閉弁１８が、垂直方向に延設された主挿入部１６に対し、水平方向から直角に挿入されるようになっているが、開閉弁１８の挿入方向は水平方向に限らず、主挿入部１６に対して若干斜め方向から挿入されるようにしてもよい。更に、主挿入部１６に対してその周囲のいずれの方向から開閉弁１８が挿入されてもよい。
【符号の説明】
【００５４】
１，１’          管ユニット
２，３            挿口部（接続部）
４，５            流体管
６，７            受口部
８                管路部
９                分岐部
１１              分岐管
１２，１２’      仕切弁取付装置（仕切弁手段）
１３              仕切弁
１４              仕切弁箱部
１５              基部フランジ
１６              主挿入部
１７              仕切弁取付部
１８              開閉弁
１９              副挿入部
２０              開閉弁取付部
３０              閉塞部材
３１              閉塞シール部
３６              開閉弁箱部
【図１】
2013249862.tif 000003
【図２】
2013249862.tif 000004
【図３】
2013249862.tif 000005
【図４】
2013249862.tif 000006
【図５】
2013249862.tif 000007
【図６】
2013249862.tif 000008
【図７】
2013249862.tif 000009
【図８】
2013249862.tif 000010
【図９】
2013249862.tif 000011